(57)【特許請求の範囲】
【請求項１】
共に同じ角度だけ傾斜しわずかな間隔だけ隔てて対向し硬貨を傾斜に沿って滑落させ、かつ互いに協働し券を巻き込む方向に回転する一対の傾斜ローラにより券銭投入口から投入された券と硬貨とを分離する券銭分離装置において、傾斜ローラに硬貨の滑落方向と略反対方向に向かってエアーを吹き付けるエアー吹付手段を備えたことを特徴とする券銭分離装置。
【請求項２】
請求項１記載の券銭分離装置において、前記一対の傾斜ローラの軸線方向の一端を大径に形成し、他端に向かって漸次小径に形成し、一方の傾斜ローラの一端を他方の傾斜ローラの他端と対向させるとともに、一方の傾斜ローラの他端を他方の傾斜ローラの一端と対向させたことを特徴とする券銭分離装置。
【発明の詳細な説明】
【０００１】
【発明の属する技術分野】
本発明は、ワンマンバス等に設置される料金収納装置の内部に設けられ、硬貨と印刷された紙からなる乗車券、回数券、整理券等（以下、券という）とを分離する券銭分離装置に関する。
【０００２】
【従来の技術】
この種の券銭分離装置においては、券銭投入口に投入された券が、何らかの原因で一対の傾斜ローラに巻き込まれずに、硬貨といっしょに硬貨計数部側に導かれてしまい、硬貨と分離できない場合がある。このようなことが起きると、後続して投入された硬貨や券の流れが阻害されるばかりか、券詰まりによるエラーを起こし、機械が停止したり券が硬貨計数部側に進入することにより、硬貨の計数や選別に悪影響を及ぼすことになる。このため従来は、一対の傾斜ローラを互いに接離自在となるようにして、券が傾斜ローラ上で滞留したときは、これら傾斜ローラを互いに離間させることにより、滞留した券を落下させるようにしていた。また、傾斜ローラの上方に、柔軟で薄いゴムによって暖簾状に形成した券ストッパを設け、この券ストッパの下端を傾斜ローラに添接させ、この券ストッパによって滞留した券が硬貨といっしょに誤って硬貨計数部側に導かれるのを規制していた。
【０００３】
図６ないし図９は従来の券銭分離装置を示したもので、図６は図８におけるVI-VI 線断面図、図７は平面図、図８は側面図、図９は図６におけるVIIII 矢視図である。
図６および図７において、全体を符号１で示す券銭分離装置には、図示を省略した料金収納装置内に立設された固定フレーム２と、この固定フレーム２に対向し図中矢印Ａ方向、すなわち固定フレーム２と対向した状態を保ったまま固定フレーム２から離間する方向に移動自在に支持された可動フレーム３とが備えられている。
【０００４】
図７および図８に示すように、固定フレーム２と可動フレーム３の前端部と後部には、端縁が互いに接離するように前板４，６と後板５，７とが、それぞれ水平面に対して傾斜するように固定されている。このうち、固定フレーム２の前板４と後板５との間には、図６中左下がりに傾斜した傾斜ローラ９が回転自在に支持されている。また、可動フレーム３の前板６と後板７との間には、図９に示すように、傾斜ローラ９にわずかな間隔δだけ隔てた隙間８を有して対向し、傾斜ローラ９と同じ角度に傾斜した傾斜ローラ１０が回転自在に支持されている。ここで、隙間８の間隔δは、後述する券２４の厚みよりもわずかに小さく形成されている。
【０００５】
固定フレーム２の前板４の裏面にはモータ１１が固定されており、このモータ１１のモータ軸（図示せず）の前板４の表面側に突出した部位にはギア１２が軸着され、このギア１２には一方の傾斜ローラ９の端軸に軸着されたギア１３が噛合している。このギア１３には、他方の傾斜ローラ１０の端軸に軸着されたギア１４が噛合しており、モータ１１を駆動することによって、図９に示すように、一方の傾斜ローラ９は図中時計方向に回転し、他方の傾斜ローラ１０は反時計方向に回転する。
【０００６】
図９において、１６，１７は互いに対向するように立設されたガイド板であって、一方のガイド板１６は固定フレーム２の前板４に固定され、他方のガイド板１７は可動フレーム３の前板６に固定されており、同図に示すように、一対の傾斜ローラ９，１０の上方に近接するように位置付けられている。これらガイド板１６，１７には、スリーブ１９，１９を介してプリント配線板１８，１８が固定されており、これら一対のプリント配線板１８，１８には、互いに対向するように、複数対の発光素子２０、受光素子２１が設けられている。
【０００７】
これら発光素子２０、受光素子２１は、図６に示すように、ガイド板１６，１７（ガイド板１７と受光素子２１は図示せず）の全面にわたって設けられ、後述する券２４がこれらガイド板１６，１７間に滞留するとこれを検出する。図９において、２２，２２は押えプレート２２ａ，２２ａを介してガイド板１６，１７にそれぞれ固定された可撓性を有するシートであって、下端が一対の傾斜ローラ９，１０に添接されて、ガイド板１６，１７と傾斜ローラ９，１０との間に設けた隙間に券２４が進入するのを規制している。
【０００８】
図６および図８において、２３は略角筒状に形成された券銭投入口部材であって、下端部がガイド板１６，１７に接続されるように、傾斜ローラ９，１０の上方に設けられている。この券銭投入口部材２３から投入された券２４と硬貨（図示せず）は、ガイド板１６，１７間に案内されて一対の傾斜ローラ９，１０上に落下し、券２４は傾斜ローラ９，１０の回転によって巻き込まれ下方に設けられた券収納部２５に落下する。一方、硬貨は、一対の傾斜ローラ９，１０の傾斜に沿って、これら傾斜ローラ９，１０上を図６中左方（矢印Ｃ方向）へ滑落または転動し、硬貨を選別および計数する硬貨計数部２６に落下する。この硬貨計数部２６には、傾斜ローラ９，１０から落下してきた多数枚の硬貨を１枚ずつ整列する一対の硬貨整列用ローラ２６ａ，２６ａ（一方の硬貨整列用ローラ２６ａは図示せず）が設けられており、一方はガイド板１６側に、他方はガイド板１７側にそれぞれ設けられている。
【０００９】
図７において、３０は固定フレーム２の裏面に固定されたモータであって、このモータ３０の駆動は、プーリとベルト３１を介して固定フレーム２と可動フレーム３とに横架された駆動軸３２に回転伝達される。この駆動軸３２の図中下部側にはねじ部３２ａが設けられ、このねじ部３２ａに螺合する移動子３３が可動フレーム３とガイド板１７に挟まれ回転が規制されるようにして固定されている。したがって、モータ３０が正、逆方向に駆動すると、駆動軸３２が正、逆方向に回転し、移動子３３が図中矢印Ａ−Ｂ方向に移動するので、可動フレーム３も図中矢印Ａ−Ｂ方向に移動し、傾斜ローラ９，１０間が接離自在となる。また、この傾斜ローラ９，１０の接離動作に連動して、前記一対の硬貨整列ローラ２６ａ，２６ａ間の間隔も接離自在となる。
【００１０】
図６において、３６は暖簾状に形成した券ストッパであって、上端部が図示を省略したブラケットを介して固定フレーム２に固定されており、側面視において傾斜ローラ９，１０の軸線方向と直交するように位置付けられている。この券ストッパ３６は、下部側が櫛歯状となるように複数のスリット３６ａが設けられ、全体が柔軟な薄いゴムによって形成され、下端が傾斜ローラ９，１０の周面に添接している。
【００１１】
次に、このような構成の券銭分離装置１において、券２４と硬貨の分離動作を説明する。
あらかじめ、図９に示すように、一対の傾斜ローラ９，１０は互いにわずかな隙間δを有して対向させるとともに、モータ１１を駆動し、一方の傾斜ローラ９を時計方向に回転させ、他方の傾斜ローラ１０を反時計方向に回転させている。
【００１２】
このような状態において、図６に示すように、券銭投入口部材２３から券２４と硬貨（図示せず）が投入されると、券２４と硬貨はガイド板１６，１７に案内され、一対の傾斜ローラ９，１０上に落下する。券２４の下端が傾斜ローラ９，１０の周面に当接すると、傾斜ローラ９，１０が券２４を巻き込む方向に回転しているので、券２４は隙間８から券収納部２５に落下し、硬貨は傾斜ローラ９，１０上を滑落または転動して硬貨計数部２６に落下する。何らかの原因で、券２４が隙間８から券収納部２５に落下しないで、傾斜ローラ９，１０上を矢印Ｃ方向へ滑落した場合には、上端が券ストッパ３６に当接することにより、この券ストッパ３６によって滑落が規制される。同時に、発光素子２０と受光素子２１によって滞留した券２４を検出することにより、モータ３０が駆動され、可動フレーム３を図８中矢印Ａ方向に移動させるので、図９において一方の傾斜ローラ１０が他方の傾斜ローラ９から離間し、滞留している券２４は券収納部２５に落下する。
【００１３】
【発明が解決しようとする課題】
上述した従来の券銭分離装置においては、図１０に示すように、断面がＶ字状に折れ曲がった券２４が投入されると、Ｖ字状に折れ曲がった券２４は、同図に示すように、折曲部２４ａが両傾斜ローラ９，１０間に入り込み易い。入り込んだ場合には、両傾斜ローラ９，１０の回転にもかかわらず、券２４が両傾斜ローラ９，１０間の隙間８に巻き込まれないために、券２４が両傾斜ローラ９，１０上に滞留したり、硬貨とともに誤って硬貨計数部２６内に落下してしまうという問題があった。
【００１４】
また、図１１（ａ）に示すように、Ｕ字状に折れ曲がった券２４が両ガイド板１６，１７間に投入された場合には、券２４の折曲部２４ａが両傾斜ローラ９，１０に当接する。したがって、上述したＶ字状に折れ曲がった券と同様に、両傾斜ローラ９，１０の回転にもかかわらず、券２４が両傾斜ローラ９，１０間の隙間８に巻き込まれることがないので、券２４が両傾斜ローラ９，１０上に滞留する。これを発光素子２０と受光素子２１とによって検知することにより、同図（ｂ）に示すように、ガイド板１７が矢印Ａ方向に移動して、両傾斜ローラ９，１０間を離間させる。両傾斜ローラ９，１０間の離間距離は、装置の大型化を防止する観点から、自ずと限界があり、両傾斜ローラ９，１０間が離間しても、券２４の両端が両傾斜ローラ９，１０上に位置したままの状態が維持されることがあり、この場合には券２４が両傾斜ローラ９，１０間から券収納部２５に落下しない。このため、同図（ｃ）に示すように、ガイド板１６，１７間の開閉動作を繰り返し行う必要があり、これに要する時間が多くかかり、利用者に不便と迷惑をかけていた。また、ガイド板１６，１７間の開閉動作を繰り返し行ったにもかかわらず、券２４が両傾斜ローラ９，１０間から券収納部２５に落下しない場合には、券２４は誤って硬貨計数部２６内に落下することもあり、この場合には硬貨の計数ができなくなるばかりでなく、ガイド板１６，１７間の開閉動作を行っても硬貨計数部２６内に落下した券が除去されないこともあった。
【００１５】
また、上述した従来の券銭分離装置においては、両傾斜ローラ９，１０上の券２４の滑落を券ストッパ３６によって規制しているが、券ストッパ３６は１円硬貨のように軽量の硬貨の通過を許容しなければならないので、この券ストッパ３６によって券２４が滑落するのを規制するのは必ずしも充分でなかった。さらに、券ストッパ３６のスリット３６ａに券２４が入り込んだ場合には、券ストッパ３６によって券２４が保持されてしまうため、両傾斜ローラ９，１０間の間隔を拡げても券２４が券収納部２５に落下しないという問題もあった。
【００１６】
本発明は上記した従来の問題に鑑みなされたものであり、その目的とするところは、装置内にいっしょに投入された券と硬貨を確実に分離することができる券銭分離装置を提供することにある。
【００１７】
【課題を解決するための手段】
この目的を達成するために、請求項１に係る発明は、共に同じ角度だけ傾斜しわずかな間隔だけ隔てて対向し硬貨を傾斜に沿って滑落させ、かつ互いに協働し券を巻き込む方向に回転する一対の傾斜ローラにより券銭投入口から投入された券と硬貨とを分離する券銭分離装置において、傾斜ローラに硬貨の滑落方向と略反対方向に向かってエアーを吹き付けるエアー吹き付け手段を備えたものである。
したがって、第１のエアーの吹き付けによって、傾斜ローラ上に滞留した券が傾斜ローラ上を滑落するのを規制し、かつＶ字状に折り曲げた券を反転させることができる。
【００２０】
また、請求項２に係る発明は、請求項１に係る発明において、前記一対の傾斜ローラの軸線方向の一端を大径に形成し、他端に向かって漸次小径に形成し、一方の傾斜ローラの一端を他方の傾斜ローラの他端と対向させるとともに、一方の傾斜ローラの他端を他方の傾斜ローラの一端と対向させたものである。
したがって、エアーの吹き付け方向と、両傾斜ローラ上の券の長手方向とが平行にならないで角度が形成される。
【００２１】
【発明の実施の形態】
以下、本発明の実施の形態を図に基づいて説明する。図１は図３におけるＩ−Ｉ線断面図、図２は同じく平面図、図３は同じく側面図である。図４は同じくＶ字状に折られた券の分離動作を説明するための平面図である。図５は同じくＶ字状に折られた券の分離動作を説明するための側面図である。これらの図において、上述した図６ないし図１１に示す従来技術において説明した同一または同等の部材については、同一の符号を付し詳細な説明は適宜省略する。
【００２２】
本発明の第１の特徴とするところは、図４に示すように、一対の傾斜ローラ９，１０の一端に大径部９ａ，１０ａを設け、他端に向かって漸次小径に形成して他端に小径部９ｂ，１０ｂを設け、全体を円錐台状に形成した点にある。また、一方の傾斜ローラ９の大径部９ａと他方の傾斜ローラ１０の小径部１０ｂを対向させ、傾斜ローラ９の小径部９ｂと傾斜ローラ１０の大径部１０ａとを対向させ、傾斜ローラ９と傾斜ローラ１０とのそれぞれの軸線を平行となるように配置したものである。また、第２の特徴とするところは、図１に示すように、一対の傾斜ローラ９，１０に、硬貨が滑落する方向と略反対方向に第１のエアー４５を吹き付けるようにした点にある。また、第３の特徴とするところは、図１に示すように、一対の傾斜ローラ９，１０から硬貨が落下する方向に、第２のエアー４６を吹き付けるようにした点にある。
【００２３】
すなわち、図２に示すように、可動フレーム３の内側にはエアー吹付手段としてのシロッコファン４２が取り付けられ、このシロッコファン４２が駆動することによりシロッコファン４２内に吸い込まれるエアーは、可動フレーム３に固定されたダクト４３内に導かれる。このダクト４３は図４中平面視Ｌ字状に形成され、吹出部４３ａの図中右端と紙面奥方端面が開口し、図１に示すように、一対の傾斜ローラ９，１０に向かって第１のエアー４５を吹き付けるとともに、硬貨計数部２６の硬貨整列用ローラ２６ａに向かって第２のエアー４６を吹き付ける。
【００２４】
第１のエアー４５は一対の傾斜ローラ９，１０の上方で、かつ券ストッパ３６の後方（矢印Ｃ方向）においてダクト４３から吹き付けている。また、その吹付方向は、図１中水平方向を指向しており、一対の傾斜ローラ９，１０の軸線方向に対して、これら傾斜ローラ９，１０の傾斜角度αだけ傾斜して一対の傾斜ローラ９，１０に吹き付けている。したがって、第１のエアー４５は、やや上方から一対の傾斜ローラ９，１０に吹き付けている。また、この第１のエアー４５の吹き付けの強さは、一対の傾斜ローラ９，１０上の券が滑落するのを規制し、かつ一対の傾斜ローラ９，１０上の硬貨の滑落を規制しないように設定している。
【００２５】
次に、このような構成の券銭分離装置において、券と硬貨の分離動作を説明する。
図１に示すように、一対の傾斜ローラ９，１０上に投入された券２４Ａには、滑落方向と略反対方向の第１のエアー４５が吹き付けているので、券２４Ａは一対の傾斜ローラ９，１０上を矢印Ｃ方向に滑落することが規制される。したがって、券２４Ａは一対の傾斜ローラ９，１０から硬貨計数部２６に落下するのが規制されるとともに、第１のエアー４５により券２４が反転することもあり、一対の傾斜ローラ９，１０間に巻き込まれ、両傾斜ローラ９，１０間の隙間８から券収納部２５に収納されることにより硬貨と確実に分離される。
【００２６】
また、この場合、第１のエアー４５が一対の傾斜ローラ９，１０の上方において吹き出され、その吹付方向は、一対の傾斜ローラ９，１０の軸線方向に対して角度αだけ傾斜して一対の傾斜ローラ９，１０上に吹き付けている。したがって、一対の傾斜ローラ９，１０上の券２４Ａには、滑落方向と反対方向のエアーが吹き付けられると同時に、券２４Ａを一対の傾斜ローラ９，１０の隙間８から落下させる方向にもエアーが吹き付けられる。このため、券２４Ａの滑落を防止できると同時に、一対の傾斜ローラ９，１０の隙間８からの落下も助長することができる。
【００２７】
さらに、この第１のエアー４５は券ストッパ３６にも吹き付けられるので、仮に券ストッパ３６のスリット３６ａに券が入り込んで保持したとしても、券をスリット３６ａの保持から解放することができるので、この場合にも券２４が券収納部２５に収納することができる。また、券を硬貨から分離するのにエアーの吹き付けによって行うようにしたことにより、構造が簡素化され、かつ部材間の機械的な接触がないから耐久性も向上する。
【００２８】
また、図１に示すように、誤って、券２４Ｂが一対の傾斜ローラ９，１０から硬貨計数部２６に落下したときには、ガイド板１５，１６間の間隔が開くので、一対の硬貨整列ローラ２６ａ，２６ａ間の間隔も開く。このとき、第２のエアー４６が硬貨計数部２６方向に吹き付けられているので、券２４Ｂは硬貨整列用ローラ２６ａ，２６ａに滞留することなく、硬貨計数部２６から除去される。
【００２９】
次に、図４および図５を用いて、Ｖ字状に折り曲げられた券の分離動作を説明する。
図５（ａ）に示すように、Ｖ字状に折り曲げられた券２４が一対の傾斜ローラ９，１０上に投入されると、上述したように、券２４の折曲部２４ａがこれら一対の傾斜ローラ９，１０の隙間８に入り込み、券２４の折曲部２４ａを挟む２辺２４ｂ，２４ｃがそれぞれ傾斜ローラ９と傾斜ローラ１０に接触する。
【００３０】
傾斜ローラ１０の辺２４ｃに接触する部位の径が、傾斜ローラ９の辺２４ｂに接触する部位の径よりも大きいことにより、傾斜ローラ１０の辺２４ｃに対接する部位の周速度が、傾斜ローラ９の辺２４ｂに対接する部位の周速度よりも速くなる。したがって、辺２４ｃが傾斜ローラ１０の回転に随伴し、同図（ｂ）に示すように反転することにより、一方の辺２４ｃの端部が一対の傾斜ローラ９，１０の隙間８間に入り込むので、券２４はこの辺２４ｃの端部から一対の傾斜ローラ９，１０間に巻き込まれて券収納部２５に収納される。
【００３１】
また、この場合、図４に示すように、折曲部２４ａが一対の傾斜ローラ９，１０の隙間８に入り込んだ券２４は、折曲部２４ａの延在方向と第１のエアー４５の吹付方向とが平行とならずに、角度βが形成される。したがって、第１のエアー４５によって券２４に吹き付けられるエアーの量が絶対的に増加するので、券２４の滑落がより規制されるばかりではなく、両傾斜ローラ９，１０の周速の違いによる上述の券２４の反転動作も助長することができるので、券の分離がより確実に行われる。さらに、図５（ａ）に示すように、左右対称とならないことから、傾斜ローラ９と辺２４ｂとの間の隙間の量と、傾斜ローラ１０と辺２４ｃとの間の隙間の量が異なるので、これら両隙間の間に吹き付けられるエアーの量もアンバランスになり、券２４の反転動作がより助長される。
【００３２】
なお、本実施の形態では、第１のエアー４５の吹き付け、第２のエアー４６の吹き付けおよび円錐台状に形成した傾斜ローラ９，１０をすべて兼ね備えた券銭分離装置１を示したが、必要に応じて組み合わせてもよく、また個々に単独に備えるようにしてもよい。さらに、傾斜ローラ９，１０を円錐台状に形成することなく、傾斜ローラ９，１０とガイド板１５，１６とを傾斜ローラ９，１０の軸線方向に対して平行ではなく、角度を付けることにより、第１のエアー４５の吹き付け方向と券２４との間に角度を付けるようにしてもよい。
【００３３】
【発明の効果】
以上説明したように、請求項１に係る発明によれば、傾斜ローラ上に滞留した券が傾斜ローラ上を滑落するのを規制し、反転させることにより、券が誤って硬貨計数部に落下するようなことが防止されるので、券と硬貨の分離が確実に行われる。また、券を硬貨から分離するのにエアーの吹き付けによって行うようにしたことにより、構造が簡素化され、かつ部材間の機械的な接触がないから耐久性も向上する。
【００３６】
また、請求項２に係る発明によれば、エアーの吹き付け方向と、両傾斜ローラ上の券の長手方向とが平行ではなく角度が形成されるので、券全体が受けるエアーの絶対量が増加し、両傾斜ローラ上の券の滑落がより確実に規制される。また、両傾斜ローラと券のそれぞれの辺との間の隙間の量が互いに異なるので、これら両隙間の間に吹き付けられるエアーの量もアンバランスになり、券の反転動作がより助長される。したがって、券と硬貨との分離もより確実になる。
【図面の簡単な説明】
【図１】  図３におけるＩ−Ｉ線断面図である。
【図２】  本発明に係る券銭分離装置の平面図である。
【図３】  本発明に係る券銭分離装置の側面図である。
【図４】  本発明に係る券銭分離装置において、Ｖ字状に折られた券の分離動作を説明するための平面図である。
【図５】  本発明に係る券銭分離装置において、Ｕ字状に折られた券の分離動作を説明するための側面図である。
【図６】  図８におけるVI-VI 線断面図である。
【図７】  従来の券銭分離装置の平面図である。
【図８】  従来の券銭分離装置の側面図である。
【図９】  図６におけるVIIII 矢視図である。
【図１０】  従来の券銭分離装置において、Ｖ字状に折られた券の分離動作を説明するための平面図である。
【図１１】  従来の券銭分離装置において、Ｖ字状に折られた券の分離動作を説明するための正面図である。
【符号の説明】
１…券銭分離装置、２…固定フレーム、３…可動フレーム、９，１０…傾斜ローラ、９ａ，１０ａ…大径部、９ｂ，１０ｂ…小径部、１６，１７…ガイド板、２３…券銭投入口部材、２４，２４Ａ，２４Ｂ…券、２４ａ…折曲部、２４ｂ，２４ｃ…辺、２５…券収納部、２６…硬貨計数部、２６ａ…硬貨整列用ローラ、３６…券ストッパ、４２…シロッコファン、４５…第１のエアー、４６…第２のエアー。
【図１】
0004096566.tif 000002
【図２】
0004096566.tif 000003
【図３】
0004096566.tif 000004
【図４】
0004096566.tif 000005
【図５】
0004096566.tif 000006
【図６】
0004096566.tif 000007
【図７】
0004096566.tif 000008
【図８】
0004096566.tif 000009
【図９】
0004096566.tif 000010
【図１０】
0004096566.tif 000011
【図１１】
0004096566.tif 000012